(57)【要約】【課題】テーブルやデスクにおいて、必要により幕板としても使用でき、またデスクトップパネルとしても使用できるデスクトップパネル兼用幕板を提供する。【解決手段】天板２の下面に固設した取付板３と、天板２の前端から奥部へ所定量入った位置における取付板３に、一端側を回転可能に取り付けて水平状態と垂直状態に変位する作動レバー８と、該作動レバー８を水平状態にした場合に、その他端側が天板２の前端面から突出するように作動レバー８の長さを設定してその他端側に回転可能に設けた幕板１０と、作動レバー８の他端側が天板２の前端から突出する水平状態をロックするロック手段１８と、作動レバー８が水平状態で幕板１０が垂直状態において、その幕板１０の垂直状態を保持する保持手段１２，１３とを有する。【選択図】        図８
2005103170.tif 000002
【特許請求の範囲】
【請求項１】
テーブルまたはデスクの天板の前部に幕板を、天板の下側に垂下した幕板状態と、この垂下状態から上方へ反転させてデスクトップパネルの状態とに変位するように設けたことを特徴とするデスクトップパネル兼用幕板。
【請求項２】
天板の下面に固設した取付板と、天板の前端から奥部へ所定量入った位置における取付板に、一端側を回転可能に取り付けて水平状態と垂直状態に変位する作動レバーと、該作動レバーを水平状態にした場合に、その他端側が天板の前端面から突出するように作動レバーの長さを設定してその他端側に回転可能に設けた幕板と、作動レバーの他端側が天板の前端から突出する水平状態をロックするロック手段と、作動レバーが水平状態で幕板が垂直状態において、その幕板の垂直状態を保持する保持手段とを有することを特徴とするデスクトップパネル兼用幕板。
【請求項３】
前記作動レバーを水平状態にし、前記幕板を垂直状態にした場合に、幕板と作動レバーとの回転連結部より下方への幕板の長さを、作動レバーの長さと略同等に設定した請求項２記載のデスクトップパネル兼用幕板。
【請求項４】
前記ロック手段を、前記取付板にピン挿通穴を形成し、前記作動レバーに、これを水平状態にした場合に前記ピン挿通穴に合致するロック穴を形成し、該両穴にロックピンを挿通して作動レバーの水平状態をロックするように構成した請求項２又は３記載のデスクトップパネル兼用幕板。
【発明の詳細な説明】
【技術分野】
【０００１】
本発明は、デスクトップパネル兼用幕板に関するもので、より詳しくは、デスクやテーブルにおいて、着座者の足部を前方から見えないように天板の前側下部を遮蔽する幕板と、着座者の手元を前方から見えないようにして天板の前側上部を遮蔽するデスクトップパネルとに変形して使用できるデスクトップパネル兼用幕板に関する。
【背景技術】
【０００２】
従来、テーブルにおいて、着座者の足部を前方から見えないように、天板の前側下部を遮蔽する幕板が知られている。
また、デスクにおいて、着座者の手元が前方から見えないように、天板の前側上部を遮蔽するデスクトップパネルも知られている。
【０００３】
ところで、テーブル相互またはデスク相互を遠く離して対面的に配置して使用したり、天板を相互に近接させて対面的に配置して使用することがあり、前者の場合には幕板が必要になり、後者の場合にはデスクトップパネルが必要になる。
【０００４】
しかし、従来のように、幕板のみ付設したり、デスクトップパネルのみ付設したものにおいては、テーブルまたはデスクを前記のような異なる配置で使用する場合における双方の必要性を満たすことができない。
【発明の開示】
【発明が解決しようとする課題】
【０００５】
本発明はテーブルまたはデスクの前記に付設されて、幕板としても使用でき、かつ、デスクトップパネルとしても使用できるデスクトップパネル兼用幕板を提供し、前記従来の課題を解決することを目的とするものである。
【課題を解決するための手段】
【０００６】
前記の課題を解決するために、請求項１記載の発明は、テーブルまたはデスクの天板の前部に幕板を、天板の下側に垂下した幕板状態と、この垂下状態から上方へ反転させてデスクトップパネルの状態とに変位するように設けたことを特徴とするものである。
【０００７】
請求項２記載の発明は、天板の下面に固設した取付板と、天板の前端から奥部へ所定量入った位置における取付板に、一端側を回転可能に取り付けて水平状態と垂直状態に変位する作動レバーと、該作動レバーを水平状態にした場合に、その他端側が天板の前端面から突出するように作動レバーの長さを設定してその他端側に回転可能に設けた幕板と、作動レバーの他端側が天板の前端から突出する水平状態をロックするロック手段と、作動レバーが水平状態で幕板が垂直状態において、その幕板の垂直状態を保持する保持手段とを有することを特徴とするものである。
【０００８】
請求項３記載の発明は、前記請求項２記載の発明において、前記作動レバーを水平状態にし、前記幕板を垂直状態にした場合に、幕板と作動レバーとの回転連結部より下方への幕板の長さを、作動レバーの長さと略同等に設定したものである。
【０００９】
請求項４記載の発明は、前記請求項２又は３記載の発明において、前記ロック手段を、前記取付板にピン挿通穴を形成し、前記作動レバーに、これを水平状態にした場合に前記ピン挿通穴に合致するロック穴を形成し、該両穴にロックピンを挿通して作動レバーの水平状態をロックするように構成したものである。
【発明の効果】
【００１０】
請求項１記載の発明によれば、幕板を天板の下側に垂下配置することにより幕板としての機能を発揮させ、また、垂下状態から上側を中心として上方へ反転させ、幕板を天板の上面より上方へ突出させることにより、その幕板をデスクトップパネルとしての機能を発揮させることができる。したがって、幕板を必要とする場合と、デスクトップパネルを必要とする場合の双方の必要性に対応することができる。
【００１１】
請求項２記載の発明によれば、更に、デスクトップパネルの状態から幕板の状態にする場合には、先ず水平状態の作動レバーを垂下状態にし、その後、垂下状態の作動レバーの下部を中心として幕板を回転する。これにより、デスクトップパネルの状態での幕板の下端が、幕板状態になるまでに通る軌跡は、垂下した作動レバーの下部を中心とする軌跡となる。したがって、作動レバーの回転中心から奥部方向における前記の軌跡までの距離は、軌跡の中心から上方に至る程、すなわち天板の下面に近くなる程短くなる。このことは、幕板の反転に必要な奥行方向の専有空間が天板の下面に近くなるほど少なくなる。そのため、天板の電源用コンセントを天板の前側に近づけて付設し、天板の上面を広く使用したい場合に有効である。
【００１２】
また、上記のように、デスクトップパネルの状態から幕板の状態にする場合に、図１１に示すように、作動レバーを水平に近い状態にして幕板を回転させることにより、幕板の下端が通る軌跡は、上記に比べて更に天板の前側に位置する。したがって、このような操作で幕板を回転するようにすれば、電源用コンセントを上記に比べて更に天板の前側に付設できる。
また、幕板の状態からデスクトップパネルの状態にする場合も上記と同様の軌跡による効果が得られる。
【００１３】
請求項３記載の発明によれば、更に、幕板を垂下させた場合に、その幕板の回転連結部より上方の部分を作動レバーと同一長に重合させることができ、前記の専有空間を少なくすることに有効である。
【００１４】
請求項４記載の発明によれば、更に、ロック手段を、簡易で、かつ、確実にロックできるように形成できる。
【発明を実施するための最良の形態】
【００１５】
図は本発明を実施するための最良の形態を示すもので、本発明をフラップテーブルに適用した実施例を示す。
【００１６】
図に示すフラップテーブル１の天板２における下面の両側（図２の左右方向側）には取付板３が固設され、該取付板３に支脚４が支軸５により備えられており、天板２が支軸５を中心として図１に示す矢印Ａ−Ｂ方向に回動するようになっている。図１は天板２を水平状態にした使用形態を示し、図５は天板２を支軸５を中心として傾斜させた不使用形態を示す。
【００１７】
前記天板２の両側に設けた取付板３にはそれぞれ幕板作動機構６が設けられている。この両側の幕板作動機構６は同一構造であるため、一方の側について説明する。
【００１８】
取付板３には、天板２の前端（着座側と反対の側を前側とする）より若干奥（後方）へ入った位置に第１のピン７が水平に配置固設されており、該第１のピン７に作動レバー８の一端側８ａが回転可能に連結されている。該作動レバー８の長さＬ１は図８に示すように、該作動レバー８を水平状態にした場合に、その他端側８ｂが天板２の前端２ａから若干突出する長さに設定されている。
【００１９】
前記作動レバー８の他端側８ｂには水平に配置された第２のピン９により、デスクトップパネル兼用の幕板１０が回転可能に備えられている。更に、作動レバー８の中間部にはロック穴１１が貫通形成されている。なお、幕板１０は、その外周に枠を設け、該枠内に布などを張設して形成されている。
【００２０】
前記第１のピン７には第１のリンクレバー１２が、その一端側を回転可能に連結して備えられている。
【００２１】
前記幕板１０を図８に示すように、デスクトップパネルとして起立させた形態における幕板１０の下端部には、第２のリンクレバー１３が、その一端側を水平に配置された第３のピン１４により回転可能に連結して備えられている。前記作動レバー８と幕板１０との回転連結部である第２のピン９と、前記幕板１０と第２のリンクレバー１３との回転連結部である第４のピン１４との間の部分１０ａの長さＬ２は、前記作動レバー８の長さＬ１と略同等に形成されている。前記第２のリンクレバー１３の他端側と前記第１のリンクレバー１２の他端側とが第４のピン１５により回転可能に連結されている。
【００２２】
なお、該両リンクレバー１２と１３は相互に同一長さに設定されているとともに、図８に示すように、幕板１０を起立させた状態において、第１のリンクレバー１２と第２のリンクレバー１３とを連結する第４のピン１５が、第１のピン７と第３のピン１４を結ぶ死点よりも幕板１０と反対側へ若干越えるように設定されている。
【００２３】
更に、第２のリンクレバー１３には図８に示すようにストッパ１６が設けられており、図８に示すように第４のピン１５が死点を若干越えた状態においてストッパ１６が第２のリンクレバー１３に当接し、両レバー１２，１３がそれ以上矢印Ｃ方向へ回動しないようになっている。前記両リンクレバー１２，１３が幕板の保持手段を構成している。
【００２４】
前記取付板３の前側部には、図１０に示すように、前記作動レバー８を水平状態にした場合に、その前記ロック穴１１と合致する位置に、ピン挿入穴１７が形成されており、作動レバー８を図８に示すように水平状態にしてロックピン１８をピン挿入穴１７とロック穴１１に挿通することにより、作動レバー８の水平状態をロックするようになっている。これらの穴１１，１７とロックピン１８によりロック手段を構成している。
【００２５】
図において１９は天板２に付設された電源用のコンセントを示す。このコンセント１９は、図３及び図８に示すように、幕板１０を反転する際に、幕板１０における第３のピン１４側の端部１０ｂが描く軌跡Ｄの外側に位置して設けられている。
【００２６】
次に使用形態について説明する。
幕板１０を幕板として使用する場合には、図１乃至図４に示すように、幕板１０を天板２の下部に垂下状態にする。この状態では、幕板１０の自重により作動レバー８が第１のピン７に支持されて垂下状態になり、該作動レバー８の下部に設けられた第２のピン９により幕板１０が自重により垂下状態となって支持される。これにより、幕板１０が天板２の前端から若干奥に入った下部に配置され、着座者の足部が前方より見えないように遮蔽して幕板としての機能を発揮する。なお、両リンクレバー１２，１３は図３及び図４に示すように重合状態（並列状態）に折り畳まれて垂下状態になる。
【００２７】
また、この状態から図５に示すように天板２を支軸５を中心として前倒しした場合には、作動レバー８が第１のピン７を中心として回動し、幕板１０が図５に示すように回動して、フラップテーブルにおける天板の折り畳みを可能にする。
【００２８】
次に、前記図１乃至図４の状態から幕板１０をデスクトップパネルとして使用する場合には、前記のように垂下状態の幕板１０の下部を、第２のピン９を中心として図１に示す矢印Ｅ方向に回転しつつ幕板１０を持ち上げ、幕板１０を反転させるとともに作動レバー８を第１のピン７を中心として上方へ回転し、図８に示すように水平状態にする。そして、作動レバー８に形成したロック穴１１を取付板３に形成したピン挿通穴１７に合致させ、ロックピン１８を図１０に示すように、両穴１１，１７に挿通して、作動レバー８の水平状態をロックする。
【００２９】
また、幕板１０を前記のように反転して図８に示すように起立させると、第１のリンクレバー１２と第２のリンクレバー１３が図８に示すように延びるが、このとき、第４のピン１５部を図８の矢印Ｃ方向へ手で押し、第４のピン１５部を、図８に示すように、第１のピン７と第３のピン１４を結ぶ線上の死点より若干越えさせ、ストッパ１６を第１のリンクレバー１２に当接係合させる。これにより、幕板１０の起立状態が保持される。
【００３０】
前記のように、作動レバー８をロックピン１８により水平状態にロックして保持し、この保持された作動レバー８の先端部に幕板１０を第２のピン９で保持し、かつ、幕板１０の下端部を両リンクレバー１２，１３を介して取付板３に不動に連結することにより、幕板１０の起立状態を保持することができる。
【００３１】
前記のように幕板１０を反転して起立させることにより、図６に示すように、この幕板１０の上部が天板２の上面より大きく突出した状態になり、この幕板１０がデスクトップパネルの機能を発揮する。
【００３２】
次に、前記のように幕板１０をデスクトップパネルとして使用した状態から、前記のように天板２の下側へ垂下して幕板として使用する場合には、前記の幕板状態からデスクトップパネルへの操作とは逆の操作により図１乃至図４に示すような幕板の状態にすることができる。
【００３３】
すなわち、先ず、ロックピン１８を外して水平状態の作動レバー８を垂下状態にし、その後、両リンクレバー１２，１３の連結部である第４のピン１５部を図８の状態から手動で上方（反矢印方向）へ押して死点を超えさせる。そして、垂下状態の作動レバー８の下部、すなわち第２のピン９を中心として幕板１０を回転（反転）させる。この反転時における幕板１０の端部１０ｂ、すなわち第３のピン１４部は、図３及び図８に示す円Ｄの軌跡を通る。そして、幕板１０が図３及び図４に示すように垂下すると、両リンクレバー１２，１３は図３及び図４に示すように折り畳まれ、かつ、幕板１０の部分１０ａは両リンク１２，１３と同一長さで相互に重合する。
【００３４】
このとき、デスクトップパネルの状態での幕板１０の端部１０ｂが、幕板状態になるまでに通る軌跡は、垂下した作動レバー８の下部（第２のピン９）を中心とする軌跡となる。したがって、作動レバー８の回転中心（第２のピン９）から奥部方向における前記軌跡Ｄまでの距離は、軌跡Ｄの中心（第２のピン９）から上方に至る程、すなわち天板２の下面に近くなる程短くなる。このことは、幕板１９の反転に必要な奥行方向の専有空間が天板２の下面に近くなる程少なくなる。そのため、天板２に電源用のコンセント１９を付設する場合に、そのコンセント１９を天板２の前方へより近づけて付設でき、天板２の上面を広く使用したい場合に有効となる。
【００３５】
また、前記のようにデスクトップパネルの状態から幕板の状態にする場合及び幕板の状態からデスクトップパネルの状態にする場合に、図１１に示すように、作動レバー８を水平に近い状態にした後に、この状態で幕板１０を、第２のピン９を中心として反転させることにより、その幕板１０の端部１０ｂの回動軌跡は図１１のＤ１に示すようになる。
【００３６】
したがって、このような操作によれば幕板１０の端部１０ｂの回動軌跡Ｄ１は、前記図３及び図８の軌跡Ｄに比べて更に天板２の前側に位置し、幕板２の反転に必要な奥行方向の専有空間を少なくすることができる。そのため、このような操作をするようにすれば、電源コンセント１９を前記の位置よりも更に天板２の前側へ付設して、天板２の上面をより一層広く使用することができる。
【００３７】
また、前記のように、幕板１０の部分１０ａを作動レバー８と同一長さに形成してこれらを重合するようにしたので、前記の専有空間を少なくすることに有効である。
また、前記のようにロック手段を形成することにより、そのロック手段を簡易、かつ確実にロックすることができる。
【００３８】
更に、前記のように保持手段を形成することにより、その保持操作とその解除操作が容易に行える。
なお、本発明は、前記実施例のようなフラップテーブルに限らず、その他のテーブルやデスクに適用できるものである。
【図面の簡単な説明】
【００３９】
【図１】本発明の実施例を示す側面図で、幕板の垂下状態を示す図。
【図２】図１の前面図で、左半分は省略している。
【図３】図１における幕板作動機構部を示す拡大側面図。
【図４】図３におけるＧ−Ｇ線断面図。
【図５】図１の状態から天板を傾斜させた側面図。
【図６】図１の状態から幕板を反転してデスクトップパネルとした状態の側面図。
【図７】図６の前面図で、左半分は省略している。
【図８】図６における幕板作動機構部を示す拡大側面図。
【図９】図８において、前面側から見た断面図。
【図１０】図８におけるロック手段部を示す前面側から見た断面図。
【図１１】幕板の反転操作を説明する図。
【符号の説明】
【００４０】
２    天板
３    取付板
７    第１のピン
８    作動レバー
９    第２のピン（回転連結部）
１０    幕板
１２，１３    リンクレバー
１４    第３のピン
１５    第４のピン
【図１】
2005103170.tif 000003
【図２】
2005103170.tif 000004
【図３】
2005103170.tif 000005
【図４】
2005103170.tif 000006
【図５】
2005103170.tif 000007
【図６】
2005103170.tif 000008
【図７】
2005103170.tif 000009
【図８】
2005103170.tif 000010
【図９】
2005103170.tif 000011
【図１０】
2005103170.tif 000012
【図１１】
2005103170.tif 000013